(57)【要約】【課題】収納性を向上でき、且つ止水性を保つことが可能な止水シートを提供すること。【解決手段】止水シート１０は、止水部材１１と、弾性部材１２と、を備える。止水部材１１は、シート状であって、第１面２３と、第１面２３の反対側の第２面２４と、を有する。弾性部材１２は、止水部材１１の端面２１に沿って配置されている。弾性部材１２は、固定部３１と、第１突出部３２と、を有する。固定部３１は、止水部材１１の第２面２４に固定されている。第１突出部３２は、止水部材１１の端面２１から突出している。第１突出部３２は、端面２１から離れるに従って第１面２３側に向かうように傾斜して形成されている。【選択図】図７
2019210733.tif 000002
【特許請求の範囲】
【請求項１】
第１面と、前記第１面の反対側の第２面と、を有するシート状の止水部材と、
前記止水部材の端面に沿って配置された弾性部材と、を備え、
前記弾性部材は、
前記止水部材の前記第２面に固定された固定部と、
前記止水部材の前記端面から突出した第１突出部と、を有し、
前記第１突出部は、前記端面から離れるに従って前記第１面側に向かうように傾斜して形成されている、
止水シート。
【請求項２】
前記固定部は、前記第２面と接触する第３面と、前記第３面の反対側の第４面と、を有し、
前記弾性部材は、前記第４面から突出した第２突出部を有し、
前記第２突出部は、前記端面の近傍に形成されている、
請求項１に記載の止水シート。
【請求項３】
前記第１突出部の長さは、前記止水部材の厚みよりも長く形成されている、
請求項１または２に記載の止水シート。
【請求項４】
前記第１突出部は、前記固定部よりも厚く形成されている、
請求項１〜３のいずれか１項に記載の止水シート。
【請求項５】
前記止水部材は、前記端面に対して垂直な方向に形成された複数のリブを有し、
前記リブは、前記止水部材の前記第１面に形成されている、
請求項１〜４のいずれか１項に記載の止水シート。
【請求項６】
前記止水部材は、炭素繊維強化プラスチックを含む、
請求項１〜５のいずれか１項に記載の止水シート。
【発明の詳細な説明】
【技術分野】
【０００１】
本発明は、止水シートに関する。
【背景技術】
【０００２】
近年、ゲリラ豪雨や河川の氾濫等の緊急時等において、建造物や地下街への雨水の浸入を防止するための止水板が提示されている（例えば、特許文献１参照）。
【０００３】
特許文献１に示す止水板は、金属体と、金属体の一面の少なくとも一部を覆う連結シートと、金属板の構造物側において、金属板と連結シートを挟み込むように、金属板の全部を覆うゴム部材と、を含む。
【０００４】
この止水板は、隣り合う金属ユニットを相対的に回動させることで全体を丸めてコンパクトにして収納することができる。
【０００５】
また、ゴム部材は、金属ユニットの丸め込んだ内側に折り畳んでしまい込まれる。
【先行技術文献】
【特許文献】
【０００６】
【特許文献１】特開２０１７−４８６７２号公報
【発明の概要】
【発明が解決しようとする課題】
【０００７】
しかしながら、上記従来の止水板では、ゴム部材を内側に折り畳むため、巻き癖が付き止水性が悪くなる場合があった。また、折り畳んだゴム部材の分、丸めた際に径が大きくなるため収納性が悪かった。
【０００８】
本発明は、収納性を向上でき、且つ止水性を保つことが可能な止水シートを提供することを目的とする。
【課題を解決するための手段】
【０００９】
第１の発明にかかる止水シートは、止水部材と、弾性部材と、を備える。止水部材は、シート状であって、第１面と、第１面の反対側の第２面と、を有する。弾性部材は、止水部材の端面に沿って配置されている。
【００１０】
弾性部材は、固定部と、第１突出部と、を有する。
固定部は、止水部材の第２面に固定されている。第１突出部は、止水部材の端面から突出している。第１突出部は、端面から離れるに従って第１面側に向かうように傾斜して形成されている。
【００１１】
このように第１突出部が傾斜し、止水部材の端面と第１突出部が接着されていないため、止水シートを巻き回し易く、弾性部材に巻き癖がつきにくい。そのため、止水性を保つことができる。
【００１２】
また、弾性部材を折りたたむ必要がないため、従来と比較して径を小さくすることができ、収納性を向上することができる。
【００１３】
また、第１突出部が傾斜しているため、止水シートを設置面に向かって押し付けるだけで、弾性部材が止水部材と設置面の間で圧縮されるので、容易に止水を行うことができる。
【００１４】
第２の発明にかかる止水シートは、第１の発明にかかる止水シートであって、固定部は、第２面と接触する第３面と、第３面の反対側の第４面と、を有する。
【００１５】
弾性部材は、第４面から突出した第２突出部を有する。第２突出部は、端面の近傍に形成されている。
【００１６】
これにより、止水シートを設置面に押しつけた際に、止水部材と設置面の間に弾性部材の十分な厚みを確保できるため、止水性を良好にすることができる。
【００１７】
第３の発明にかかる止水シートは、第１または第２の発明にかかる止水シートであって、第１突出部の長さは、止水部材の厚みよりも長く形成されている。
【００１８】
これにより、止水シートを設置面に押しつけた際に、止水部材の幅以上の弾性部材の長さを確保できるため、止水性を良好にすることができる。
【００１９】
第４の発明にかかる止水シートは、第１〜第３のいずれかの発明にかかる止水シートであって、第１突出部は、固定部よりも厚く形成されている。
【００２０】
このように第１突出部を厚くすることにより、止水シートを設置面に押しつけた際の止水性を確保できるとともに、固定部を薄くすることにより、巻き回した際の径を小さくすることができる。
【００２１】
第５の発明にかかる止水シートは、第１〜第４のいずれかの発明にかかる止水シートであって、止水部材は、端面に対して垂直な方向に形成された複数のリブを有する。リブは、止水部材の第１面に形成されている。
【００２２】
これにより、止水シートの強度を向上させることができる。
第６の発明にかかる止水シートは、第１〜第５のいずれかの発明にかかる止水シートであって、止水部材は、炭素繊維強化プラスチックを含む。
【００２３】
これにより、止水シートを軽量に形成できるとともに、強度も確保することができる。
【発明の効果】
【００２４】
本発明によれば、収納性を向上でき、且つ止水性を保つことが可能な止水シートを提供することを提供することができる。
【図面の簡単な説明】
【００２５】
【図１】本発明にかかる実施の形態における止水シートを用いて水の浸入口を閉塞した状態を示す図。
【図２】図１の止水シートを巻き回した状態を示す図。
【図３】（ａ）図１の止水シートの正面図、（ｂ）図３（ａ）のＳ部拡大図。
【図４】（ａ）図１の止水シートの平面図、（ｂ）図４（ａ）のＴ部拡大図。
【図５】図１の止水シートの背面図。
【図６】図１の止水シートの側面図。
【図７】図６のＶ部拡大図。
【図８】図１の止水シートを設置面に押し付けた状態を示す図。
【図９】図２のＡＡ´間の矢示断面図。
【図１０】本発明にかかる実施の形態の変形例における弾性部材を示す側面図。
【図１１】本発明にかかる実施の形態の変形例における止水部材および弾性部材を示す側面図。
【図１２】止水シートを引き出して設置する構造を示す図。
【発明を実施するための形態】
【００２６】
本発明にかかる実施の形態の止水シート１０について図面を参照しながら説明する。
＜１．構成＞
（止水シート１０の概要）
図１は、本発明にかかる実施の形態における止水シート１０を用いて水の浸入口を閉塞した状態を示す図である。
【００２７】
本実施の形態の止水シート１０は、例えば、ゲリラ豪雨や河川の氾濫等の災害発生時に建造物や地下街等への雨水の浸入を防止する。
【００２８】
止水シート１０は、未使用時には、図２に示すように、巻き回された状態で収納されている。使用時には、延ばされた状態で使用される。
【００２９】
なお、図２では、図１と上下逆になっている。止水シート１０の両端には、図１に示すように、既設のシャッタ溝１０１に挿入される挿入ゴム１３が取り付けられている。
【００３０】
この挿入ゴム１３が既設のシャッタ溝１０１に挿入され、その後、止水シート１０は下方に向かって押し下げられる。
【００３１】
これによって、止水シート１０の下端部に設けられている弾性部材１２が圧縮されるため、止水シート１０と設置面Ｔの間が止水される。
【００３２】
以上のように、止水シート１０によって建造物や地下街への水の浸入口Ｅを閉塞することができる。
【００３３】
図３（ａ）は止水シート１０の正面図である。図３（ｂ）は、図３（ａ）のＳ部拡大図である。図４（ａ）は、止水シート１０の平面図である。図４（ｂ）は、図４（ａ）のＴ部拡大図である。
【００３４】
図５は、止水シート１０の背面図である。図６は、止水シート１０の側面図である。図４から図６では、挿入ゴム１３は省略されている。
【００３５】
止水シート１０は、止水部材１１と、弾性部材１２と、を有する。
（止水部材１１）
止水部材１１は、例えば、炭素繊維やガラス繊維を含む樹脂製の繊維強化シートである。止水部材１１は、図１に示すように、閉塞状態において浸水領域Ｓ１と所定領域Ｓ２とを隔てる壁面を形成する。
【００３６】
なお、止水部材１１を形成する樹脂としては、例えば、ポリエチレン樹脂、ポリプロピレン樹脂、ナイロン樹脂、ポリメタクリル樹脂、ポリ塩化ビニル樹脂、ポリカーボネート樹脂等の熱可塑性樹脂、あるいは、ウレタン樹脂、ビニルエステル樹脂、エポキシ樹脂、等の熱硬化性樹脂を用いることができる。
【００３７】
止水部材１１は、図３に示すように、長方形状のシート状の部材である。止水部材１１は、図１に示すように水の浸入口を閉塞するように設置した際に設置面Ｔ側に配置される端面２１と、端面２１と対向する端面２２とを有する。
【００３８】
すなわち、設置状態では、端面２１は下端面となり、端面２２は上端面となる。また、止水部材１１は、設置時に浸水領域Ｓ１側に配置される第１面２３と、設置時に所定領域Ｓ２側に配置される第２面２４とを有する。第１面２３と第２面２４は、止水部材の表裏の主面である。
【００３９】
第１面２３には、複数のリブ２５が形成されている。リブ２５は、補強のために設けられており、例えば、止水部材１１と同様の素材によって形成されている。
【００４０】
リブ２５は、端面２１および端面２２に対して垂直に、端面２１から端面２２まで形成されている。言い換えると、リブ２５は、図１に示す設置状態において、鉛直方向に沿って形成されている。
【００４１】
このように複数のリブ２５を設けることにより、止水シート１０の強度を向上させて、浸水領域Ｓ１側の水位が上昇した場合でも、止水シート１０が略鉛直方向において折れ曲がる等の不具合の発生を防止することができる。
【００４２】
また、複数のリブ２５が形成されている第１面２３は、図１に示すように、止水シート１０の設置状態において、浸水領域Ｓ１側に配置される。
【００４３】
これにより、浸水領域Ｓ１側の水位が上昇してきた場合でも、第１面２３において、水圧を抑えることができる。
【００４４】
（弾性部材１２）
弾性部材１２は、止水部材１１の端面２１と設置面Ｔ（図１参照）との間の隙間を埋めるために、止水部材１１の端面２１に沿って設けられたゴム製の部材である。
【００４５】
図７は、図６のＶ部拡大図である。
弾性部材１２は、固定部３１と、第１突出部３２と、第２突出部３３とを有する。
【００４６】
固定部３１は、止水部材１１の第２面２４の端面２１近傍に接着などにより固定されている。
【００４７】
固定部３１の第２面２４と接着されている面が、接着面３１ａとして示されている。
第１突出部３２は、固定部３１の端面２１側の端から形成されており、端面２１から突出している。第１突出部３２は、端面２１から遠ざかるに従って、第１面２３側に近づくように、傾斜して形成されている。
【００４８】
第１突出部３２の端面２１側の面３２ａは、端面２１とは接着されておらず、設置されていない状態において端面２１から離間している。
【００４９】
第２突出部３３は、固定部３１の接着面３１ａとは反対側の面３１ｂから止水部材１１から離れるように突出して形成されている。
【００５０】
第２突出部３３は、端面２１の近傍に形成されている。第２突出部３３は、固定部３１と第１突出部３２との接続箇所を含むように形成されているともいえる。
【００５１】
図８は、止水シート１０を設置面Ｔに押し付けた状態を示す図である。
図７に示すように、第１突出部３２が第１面２３側に向かって傾斜しているため、止水シート１０を設置面に押し付けるだけで、止水部材１１の下側に弾性部材１２が移動する。
【００５２】
すなわち、第１突出部３２の面３２ａが端面２１と接触し、弾性部材１２が止水部材１１と設置面Ｔの間で圧縮される。これによって、止水シート１０と設置面Ｔとの間を止水することができる。
【００５３】
このように第１突出部３２が傾斜し、止水部材１１の端面２１と弾性部材１２が接着されていないため、止水シート１０を巻き回し易く、弾性部材１２に巻き癖がつきにくい。そのため、止水性を保つことができる。
【００５４】
また、弾性部材１２を折りたたむ必要がないため、従来と比較して径を小さくすることができ、収納性を向上することができる。
【００５５】
また、第１突出部３２が傾斜しているため、止水シート１０を設置面Ｔに向かって押し付けるだけで、弾性部材１２が止水部材１１と設置面Ｔの間に入り込み、圧縮されるので、容易に止水を行うことができる。
【００５６】
また、第２突出部３３が設けられていることにより、止水シート１０を設置面Ｔに押しつけた際に、止水部材１１と設置面Ｔの間に弾性部材１２の十分な厚みを確保できるため、止水性を良好にすることができる。
【００５７】
なお、図７に示すように、第１突出部３２の面３２ａにおける長さＬ１は、止水部材１１の厚みＷ１よりも長く形成されている。
【００５８】
これにより、止水シート１０を設置面Ｔに押しつけた際に、止水部材１１の幅Ｗ１以上の弾性部材１２の長さを確保できるため、止水性を良好にすることができる。
【００５９】
また、第１突出部３２の最も薄い部分である先端３２ｂの厚みＷ２は、固定部３１の厚みＷ３よりも厚く形成されている。
【００６０】
このように第１突出部３２を厚くすることにより、止水シート１０を設置面Ｔに押しつけた際の止水性を確保できるとともに、固定部３１を薄くすることにより、巻き回した際の径を小さくすることができる。
【００６１】
図９は、図２のＡＡ´間の矢示断面を示す模式図である。図９の断面図において、本実施の形態の止水シート１０は、巻き回した際に止水部材１１の端面２１と第１突出部３２の間に、内側の第２突出部３３の一部が挿入されている。
【００６２】
これにより、止水シート１０を巻き回した際の径を小さくできるため、収納性を向上することができる。
【００６３】
［他の実施形態］
以上、本発明の一実施形態について説明したが、本発明は上記実施形態に限定されるものではなく、発明の要旨を逸脱しない範囲で種々の変更が可能である。
【００６４】
（Ａ）
上記実施の形態では、弾性部材１２に第２突出部３３が設けられていたが、第２突出部３３が設けられていなくてもよい。
【００６５】
図１０に示すように、第２突出部３３が設けられていない弾性部材１２´が止水部材１１に固定されていてもよい。
【００６６】
（Ｂ）
上記実施の形態では、固定部３１に対して第１突出部３２が第１面２３側に傾斜した弾性部材１２が用いられているが、これに限られるものではない。
【００６７】
例えば、固定部３１に対して第１突出部３２が傾斜していない弾性部材１２´´を用いて、止水部材１１への取り付けによって第１突出部３２を形成するようにしてもよい。
【００６８】
例えば、図１１に示すように、止水部材１１´の端面２１の第２面２４側にテーパー２６が形成されており、このテーパー２６に弾性部材１２´´を接着することにより、第１突出部３２を形成することができる。
【００６９】
（Ｃ）
上記実施の形態では、巻き回されている止水シート１０を広げて、その両側の挿入ゴム１３をシャッタ溝１０１に挿入することによって止水シート１０を設置しているが、巻き回されて収納されている止水シート１０を引き出して設置してもよい。
【００７０】
図１２は、止水シート１０を引き出して設置する構造を示す図である。止水シート１０は、未使用時には、収納部５０の内部に巻回された状態で収納されている。
【００７１】
そして、止水シート１０は、使用時には、挿入ゴム１３が取り付けられた端側を引き出すように、収納部５０内から引き出され、既設の溝部材において保持される。
【００７２】
ここで、止水シート１０が巻回された状態で収納される収納部５０は、図２に示すように、筐体部５１と、扉５２と、巻取り軸５３と、巻取りハンドル５４とを有している。
【００７３】
筐体部５１は、例えば壁面に埋め込まれるように設置されており、巻回された状態の止水シート１０が収納される略直方体形状の箱であって、側面の開口部分を覆う扉５２が開閉可能な状態で取り付けられている。
【００７４】
扉５２は、未使用時には閉じられており、止水シート１０を引き出す際、あるいは止水シート１０を巻き取って筐体部５１内に収納する際に開けられる。
【００７５】
巻取り軸５３は、筐体部５１の内部に略鉛直方向に沿って回転可能な状態で設置されたシート状の止水シート１０の回転中心であって、巻取りハンドル５４によって回転させられる。
【００７６】
巻取りハンドル５４は、筐体部５１の側面に形成された開口部の上部側面に設けられており、回転操作することで、巻取り軸５３を回転させることができる。
【００７７】
よって、巻取りハンドル５４は、使用が終わった後の止水シート１０を巻取り軸５３に巻き取る際に、作業者によって回転操作される。
【００７８】
（Ｄ）
上記実施の形態では、止水部材１１にリブ２５が形成された第１面２３が浸水領域Ｓ１側に配置されるが、これに限られるものではなく、第１面２３が所定領域Ｓ２側に設置されてもよい。
【００７９】
（Ｅ）
上記実施の形態では、止水部材１１に複数のリブ２５が形成されているが、複数のリブ２５が形成されていなくてもよい。
【産業上の利用可能性】
【００８０】
本発明の止水シートは、収納性を向上でき、且つ止水性を保つことが可能な効果を奏し、浸水を防止するための手段として広く適用可能である。
【符号の説明】
【００８１】
１０      ：止水シート
１１      ：止水部材
１２      ：弾性部材
２１      ：端面
２２      ：端面
２３      ：第１面
２４      ：第２面
３１      ：固定部
３２      ：第１突出部
【図１】
2019210733.tif 000003
【図２】
2019210733.tif 000004
【図３】
2019210733.tif 000005
【図４】
2019210733.tif 000006
【図５】
2019210733.tif 000007
【図６】
2019210733.tif 000008
【図７】
2019210733.tif 000009
【図８】
2019210733.tif 000010
【図９】
2019210733.tif 000011
【図１０】
2019210733.tif 000012
【図１１】
2019210733.tif 000013
【図１２】
2019210733.tif 000014